(57)【要約】【課題】  露光時のフォーカスマージンが大きくなるようなフォトマスクを得る。【解決手段】  転写用パターンを有する表示装置製造用フォトマスクにおいて、前記転写用パターンは、透光部からなる、径が４μｍ以下の主パターンと、前記主パターンの周辺に配置された、露光により解像しない幅をもつ透光部からなる補助パターンとを有し、前記主パターンを透過する露光光と、前記補助パターンを透過する露光光との間には、互いに実質的に位相差がなく、前記主パターンの中心と、前記補助パターンの幅の中心との間の距離をピッチＰ（μｍ）とするとき、前記主パターンを透過する露光光と、前記補助パターンを透過する露光光とによって生じる光の干渉によって生じる、±１次の回折光が、前記露光に用いる露光機の光学系に入射するように、前記ピッチＰが設定されていることを特徴とする、表示装置製造用フォトマスクである。【選択図】  図１
2014102496.tif 000002
【特許請求の範囲】
【請求項１】
透明基板上に成膜した、少なくとも遮光膜をパターニングすることによって形成された、遮光部と、透光部とを含む転写用パターンを有する表示装置製造用フォトマスクにおいて、
前記転写用パターンは、透光部からなる、径が４μｍ以下の主パターンと、
前記主パターンの周辺に配置された、主パターンの径より小さな幅をもつ、透光部又は半透光部からなる補助パターンとを有し、
前記主パターンを透過する露光光と、前記補助パターンを透過する露光光との位相差は０度以上９０度以下であり、
前記主パターンの中心と、前記補助パターンの幅の中心との間の距離をピッチＰ（μｍ）とするとき、
前記主パターンを透過する露光光と、前記補助パターンを透過する露光光とによる光の干渉によって生じる、±１次の回折光が、前記露光に用いる露光機の光学系に入射するように、前記ピッチＰが設定されていることを特徴とする、表示装置製造用フォトマスク。
【請求項２】
透明基板上に成膜した遮光膜をパターニングすることによって形成された、遮光部と、透光部とを含む転写用パターンを有する表示装置製造用フォトマスクにおいて、
前記転写用パターンは、透光部からなる、径が４μｍ以下の主パターンと、
前記主パターンの周辺に配置された、露光により解像しない幅をもつ透光部からなる補助パターンとを有し、
前記主パターンを透過する露光光と、前記補助パターンを透過する露光光には、互いに実質的に位相差がなく、
前記主パターンの中心と、前記補助パターンの幅の中心との間の距離をピッチＰ（μｍ）とするとき、
前記主パターンを透過する露光光と、前記補助パターンを透過する露光光とによる光の干渉によって生じる、±１次の回折光が、前記露光に用いる露光機の光学系に入射するように、前記ピッチＰが設定されていることを特徴とする、表示装置製造用フォトマスク。
【請求項３】
前記補助パターンの幅Ａ（μｍ）は、前記露光に用いる露光機の解像限界がＢ（μｍ）、前記主パターンの径がＣ（μｍ）であるとき、Ａ≦Ｂ／２、かつＡ≦Ｃ／２を満たすことを特徴とする、請求項２記載の表示装置製造用フォトマスク。
【請求項４】
透明基板上に成膜した半透光膜と遮光膜とをパターニングすることによって形成された、遮光部と、透光部と、半透光部とを含む転写用パターンを有する表示装置製造用フォトマスクにおいて、
前記転写用パターンは、透光部からなる、径が４μｍ以下の主パターンと、
前記主パターンの周辺に配置された、主パターンの径より小さな幅をもつ半透光部からなる補助パターンとを有し、
前記主パターンを透過する露光光と、前記補助パターンを透過する露光光との位相差は９０度以下であり、
前記主パターンの中心と、前記補助パターンの幅の中心との間の距離をピッチＰ（μｍ）とするとき、
前記主パターンを透過する露光光と、前記補助パターンを透過する露光光とによる光の干渉によって生じる、±１次の回折光が、前記露光に用いる露光機の光学系に入射するように、前記ピッチＰが設定されていることを特徴とする、表示装置製造用フォトマスク。
【請求項５】
前記補助パターンの幅Ａ（μｍ）は、前記露光に用いる露光機の解像限界がＢ（μｍ）、前記主パターンの径がＣ（μｍ）であるとき、Ａ≦Ｂ、かつＡ≦Ｃを満たすことを特徴とする、請求項４記載の表示装置製造用フォトマスク。
【請求項６】
前記主パターンを透過する露光光と、前記補助パターンを透過する露光光とによる光の干渉によって生じる、±２次の回折光が、前記露光に用いる露光機の光学系に入射しないように、前記ピッチＰが設定されていることを特徴とする、請求項１〜５のいずれか記載の表示装置製造用フォトマスク。
【請求項７】
前記補助パターンは、前記主パターンを囲んで形成されていることを特徴とする、請求項１〜６のいずれか記載の表示装置製造用フォトマスク。
【請求項８】
前記ピッチＰは、前記露光機の解像限界がＢ（μｍ）であるとき、０．７Ｂ≦Ｐ≦１．３Ｂであることを特徴とする、請求項１〜７のいずれか記載の表示装置製造用フォトマスク。
【請求項９】
透明基板上に成膜した、少なくとも遮光膜をパターニングすることによって形成された、遮光部と、透光部とを含む転写用パターンを有する表示装置製造用フォトマスクにおいて、
前記転写用パターンは、透光部からなる、径が４μｍ以下の主パターンと、
前記主パターンの周辺に配置された、主パターンの径より小さな幅をもつ、透光部又は半透光部からなる補助パターンとを有し、
前記主パターンを透過する露光光と、前記補助パターンを透過する露光光との位相差は０度以上９０度以下であり、
前記主パターンの中心と、前記補助パターンの幅の中心との間の距離をピッチＰ（μｍ）とし、前記主パターンの透過光が、被転写体上に形成する光強度分布を示す光強度分布曲線において、主ピークと、前記主ピークに最も近い、第１サブピークとの間の極小点の、主ピーク中心位置からの距離をＱ（μｍ)とし、前記主ピークから２番目に近い第２サブピークと前記第１サブピークとの間の極小点の、主ピーク中心位置からの距離をＲ（μｍ）とするとき、
Ｑ  ≦  Ｐ  ≦  Ｒ      ・・・  （１）
であることを特徴とする、表示装置製造用フォトマスク。
【請求項１０】
透明基板上に成膜した、遮光膜をパターニングすることによって形成された、遮光部と、透光部とを含む転写用パターンを有する表示装置製造用フォトマスクにおいて、
前記転写用パターンは、透光部からなる、径が４μｍ以下の主パターンと、
前記主パターンの周辺に配置された、主パターンの径より小さく、かつ、露光により解像しない幅をもつ透光部からなる補助パターンとを有し、
前記主パターンを透過する露光光と、前記補助パターンを透過する露光光には、互いに実質的に位相差がないことを特徴とする、請求項９に記載の表示装置製造用フォトマスク。
【請求項１１】
前記補助パターンの幅Ａ（μｍ）は、前記露光に用いる露光機の解像限界がＢ（μｍ）、前記主パターンの径がＣ（μｍ）であるとき、Ａ≦Ｂ／２、かつＡ≦Ｃ／２を満たすことを特徴とする、請求項１０記載の表示装置製造用フォトマスク。
【請求項１２】
透明基板上に成膜した、半透光膜と遮光膜とをパターニングすることによって形成された、遮光部と、透光部と、半透光部とを含む転写用パターンを有する表示装置製造用フォトマスクにおいて、
前記転写用パターンは、透光部からなる、径が４μｍ以下の主パターンと、
前記主パターンの周辺に配置された、主パターンの径より小さな幅をもつ半透光部からなる補助パターンとを有することを特徴とする、請求項９に記載の表示装置製造用フォトマスク。
【請求項１３】
前記補助パターンの幅Ａ（μｍ）は、前記露光に用いる露光機の解像限界がＢ（μｍ）、前記主パターンの径がＣ（μｍ）であるとき、Ａ≦Ｂ、かつＡ≦Ｃを満たすことを特徴とする、請求項１２記載の表示装置製造用フォトマスク。
【請求項１４】
前記補助パターンの幅をＡ（μｍ）とするとき、
Ｑ  ≦  Ｐ±（Ａ／２）  ≦  Ｒ      ・・・  （２）
であることを特徴とする、請求項９〜１３のいずれか記載の表示装置製造用フォトマスク。
【請求項１５】
前記補助パターンは、前記主パターンを囲んで形成されていることを特徴とする、請求項９〜１４のいずれか記載の表示装置製造用フォトマスク。
【請求項１６】
パターン転写方法であって、
請求項１〜１５のいずれか記載の表示装置製造用フォトマスクを用い、表示装置用露光機によって被転写体上にパターン転写することを特徴とする、パターン転写方法。
【発明の詳細な説明】
【技術分野】
【０００１】
本発明は、表示装置の製造に特に適したフォトマスクに関する。また、これを用いたパターン転写方法に関する。
【背景技術】
【０００２】
特許文献１には、透明基板と、この透明基板上に設けられ透光性のメインパターンとこの周囲に形成された透光性の補助パターンを有する遮光膜と、この遮光膜の上記補助パターン形成部位に設けられ補助パターンを通過する露光光の位相を変位させる位相シフト層を備える補助パターン付き位相シフトマスクが記載されている。この位相シフトマスクは、半導体装置を製造するに際し、半導体基板上に成膜された被膜に対してコンタクトホール等繰り返し性のない孤立パターンを形成するような場合に使用され、通過した露光光が急峻な光強度分布を示すことが記載されている。
【０００３】
特許文献２には、ホールパターンと補助パターンとハーフトーン領域と遮光領域とを備えた、ハーフトーン位相シフトマスクが記載されている。これは、半導体ウエハ上にパターンを形成する露光マスクであり、これによって孤立パターンの焦点深度を十分に得られることが記載されている。
【先行技術文献】
【特許文献】
【０００４】
【特許文献１】特開平６−２８２０６４号公報
【特許文献２】特開２００９−８０１４３号公報
【発明の概要】
【発明が解決しようとする課題】
【０００５】
特許文献１及び２に記載の発明が属する、半導体装置製造用フォトマスクの分野では、解像性を得るために、高ＮＡ（例えば０．２以上）の光学系とともに、位相シフト作用を利用した位相シフトマスクを開発してきた経緯がある。位相シフトマスクは、単一波長であって、かつ比較的、波長の短い光源（ＫｒＦやＡｒＦのエキシマレーザーなど）とともに用いられている。これによって、高集積化及びそれに伴うパターンの微細化に対応してきたのである。
【０００６】
その一方、表示装置製造用のリソグラフィ分野では、解像性向上や焦点深度拡大のために、上記のような手法が適用されることは、一般的ではなかった。この理由としては、表示装置における、パターンの集積度や、微細さが半導体製造分野ほどではなかったことが挙げられる。
【０００７】
実際、表示装置製造用の露光機（一般にはＬＣＤ露光装置、或いは液晶露光装置などとして知られる）に搭載される光学系や光源も、半導体装置製造用のものとは大幅に異なり、解像性や焦点深度より、生産効率（例えば、光源の波長域を広げて光量を大きくし、生産タクトを短縮するなど）が重視されてきた。
【０００８】
ところで、液晶、有機ＥＬ等を用いた表示装置の製造の際には、必要なパターニングが施された、複数の導電膜や絶縁膜を積層することによってトランジスタなどの素子を形成している。これらの積層構造において、成膜及びパターニングを適宜繰り返し、積層される膜の個々に対して、フォトマスクを用い、フォトリソグラフィ工程を適用してパターニングする工程を利用することが多い。
【０００９】
例えば、アクティブマトリクス方式の液晶表示装置に用いられる薄膜トランジスタ（Thin Film Transistor、以下、「ＴＦＴ」と略記する）でいえば、ＴＦＴを構成する複数のパターンのうち、パッシベーション層（絶縁層）に形成されたコンタクトホールが、絶縁層を貫き、その下層側にある接続部に導通する構成を有するものがある。この際、上層側と下層側のパターンが正確に位置決めされ、かつ、コンタクトホールの形状が確実に形成されていなければ、表示装置の正しい動作が保証されない。
【００１０】
こうした表示装置の最近の動向としては、明るく、精細な画像を、十分な動作速度をもって表示し、かつ、消費電力を低減させるニーズが高まっている。こうした要求を満たすため、表示装置の構成部品や素子は、益々微細化し、高集積化することが求められる。これに伴い、これらの製造に用いられるフォトマスクが備える転写用パターンのデザインも微細化している。
【００１１】
フォトマスクの転写用パターンが微細化すると、これを正確に被転写体（エッチング加工しようとする薄膜等）に転写する工程は困難になる。転写の工程に現実に使用されている露光機の解像限界は３μｍ程度とされているが、表示デバイスに必要な転写用パターンの中には、ＣＤ（線幅）が、既にこれに近づくか、或いはこれを下回る寸法のものが必要となっている。
【００１２】
例えば、コンタクトホールなどに適用される、ホールパターンをもつフォトマスクを使用し、これを被転写体上に転写することを考える。径が３μｍを超えるホールパターンであれば、従来より、それほど困難なく転写することが可能であった。しかしながら、３μｍ以下のホールパターンを転写しようとすると、被転写体上で面内均一に、確実にホールを形成できるような、精度の高い転写は容易ではなかった。まして、２．５μｍ以下の径をもつホールの形成には、大きな困難があった。
【００１３】
この主な理由は、転写に用いる露光機の性能上の制約である。上記のとおり、現行の多くのＬＣＤ露光機は、ｉ線、ｈ線、ｇ線を含む波長域（以下、ブロード波長とも言う）を用いており、上述のとおり解像限界としては、３μｍ程度である。この状況下で、例えば、フォトマスクの転写用パターンにおいて、径が２．５μｍ以下、更には、径が２．０μｍ以下のホールパターンを形成するには、当然困難がある。しかし、近い将来、これを下回る１．５μｍ以下の径をもつパターンの転写も望まれると考えられる。
【００１４】
ところで、これまで半導体装置製造の目的で開発されてきた、解像性向上のための手法を、表示デバイス製造にそのまま適用することには、いくつかの問題があり、少なくとも近い将来にこれを行う現実性はあまり大きくない。例えば、半導体製造用のような高ＮＡ（開口数）をもつ露光機への転換には、大きな投資が必要になり、表示装置の価格との整合性に齟齬が生じる。或いは、露光波長の変更（ＡｒＦエキシマレーザーのような短波長を、単一波長で用いる）については、比較的大面積をもつ表示装置への適用が困難であったり、製造タクトが延長しやすい問題の他、やはり相当の投資を必要とする点で不都合である。
【００１５】
そこで、本発明者は、露光機の性能のみに依存するのではなく、フォトマスクの転写用パターンに工夫を加えることにより、３μｍ未満のパターンであっても、精度高く、確実に転写できる方法を検討した。
【００１６】
発明者らの検討によると、微細径のパターンが、確実に転写できないことの要因のひとつとして、以下の点が考えられる。
【００１７】
フォトマスク基板の転写用パターン面が、理想的な平面でなく、また、被転写体も理想的な平面ではない。更に、露光機の光学系のフォーカスエラー成分があるため、必ずしもジャストフォーカス状態で転写が行われる訳ではない。表示装置製造用のフォトマスクの面積は様々であるが、一般的に半導体用より大きく（例えば一辺が３００ｍｍ以上の方形）、更に、被転写体（表示パネル生産用ガラスなど）は更に大面積（例えば一辺が１０００ｍｍ以上の方形）であるから、これら表面の凹凸がたとえあっても、デフォーカスによる転写性への影響が小さいことが肝要である。すなわち、露光時のフォーカスマージン（フォーカスずれに対する裕度）が大きくなるようなフォトマスクが求められる。
【００１８】
本発明はこのような課題を解決するべくなされた。
【課題を解決するための手段】
【００１９】
上記課題を解決するため、本発明は以下の構成を有する。本発明は、下記の構成１〜１５であることを特徴とする表示装置製造用フォトマスク、及び下記の構成１６であることを特徴とするパターン転写方法である。
【００２０】
（構成１）
本発明の構成１は、透明基板上に成膜した、少なくとも遮光膜をパターニングすることによって形成された、遮光部と、透光部とを含む転写用パターンを有する表示装置製造用フォトマスクにおいて、
前記転写用パターンは、透光部からなる、径が４μｍ以下の主パターンと、
前記主パターンの周辺に配置された、主パターンの径より小さな幅をもつ、透光部又は半透光部からなる補助パターンとを有し、
前記主パターンを透過する露光光と、前記補助パターンを透過する露光光との位相差は０度以上９０度以下であり、
前記主パターンの中心と、前記補助パターンの幅の中心との間の距離をピッチＰ（μｍ）とするとき、
前記主パターンを透過する露光光と、前記補助パターンを透過する露光光とによる光の干渉によって生じる、±１次の回折光が、前記露光に用いる露光機の光学系に入射するように、前記ピッチＰが設定されていることを特徴とする、表示装置製造用フォトマスクである。
【００２１】
（構成２）
本発明の構成２は、透明基板上に成膜した遮光膜をパターニングすることによって形成された、遮光部と、透光部とを含む転写用パターンを有する表示装置製造用フォトマスクにおいて、
前記転写用パターンは、透光部からなる、径が４μｍ以下の主パターンと、
前記主パターンの周辺に配置された、露光により解像しない幅をもつ透光部からなる補助パターンとを有し、
前記主パターンを透過する露光光と、前記補助パターンを透過する露光光には、互いに実質的に位相差がなく、
前記主パターンの中心と、前記補助パターンの幅の中心との間の距離をピッチＰ（μｍ）とするとき、
前記主パターンを透過する露光光と、前記補助パターンを透過する露光光とによる光の干渉によって生じる、±１次の回折光が、前記露光に用いる露光機の光学系に入射するように、前記ピッチＰが設定されていることを特徴とする、表示装置製造用フォトマスクである。
【００２２】
（構成３）
本発明の構成３は、前記補助パターンの幅Ａ（μｍ）は、前記露光に用いる露光機の解像限界がＢ（μｍ）、前記主パターンの径がＣ（μｍ）であるとき、Ａ≦Ｂ／２、かつＡ≦Ｃ／２を満たすことを特徴とする、構成２の表示装置製造用フォトマスクである。
【００２３】
（構成４）
本発明の構成４は、透明基板上に成膜した半透光膜と遮光膜とをパターニングすることによって形成された、遮光部と、透光部と、半透光部とを含む転写用パターンを有する表示装置製造用フォトマスクにおいて、
前記転写用パターンは、透光部からなる、径が４μｍ以下の主パターンと、
前記主パターンの周辺に配置された、主パターンの径より小さな幅をもつ半透光部からなる補助パターンとを有し、
前記主パターンを透過する露光光と、前記補助パターンを透過する露光光との位相差は９０度以下であり、
前記主パターンの中心と、前記補助パターンの幅の中心との間の距離をピッチＰ（μｍ）とするとき、
前記主パターンを透過する露光光と、前記補助パターンを透過する露光光とによる光の干渉によって生じる、±１次の回折光が、前記露光に用いる露光機の光学系に入射するように、前記ピッチＰが設定されていることを特徴とする、表示装置製造用フォトマスクである。
【００２４】
（構成５）
本発明の構成５は、前記補助パターンの幅Ａ（μｍ）は、前記露光に用いる露光機の解像限界がＢ（μｍ）、前記主パターンの径がＣ（μｍ）であるとき、Ａ≦Ｂ、かつＡ≦Ｃを満たすことを特徴とする、構成４の表示装置製造用フォトマスクである。
【００２５】
（構成６）
本発明の構成６は、前記主パターンを透過する露光光と、前記補助パターンを透過する露光光とによる光の干渉によって生じる、±２次の回折光が、前記露光に用いる露光機の光学系に入射しないように、前記ピッチＰが設定されていることを特徴とする、構成１〜５のいずれかの表示装置製造用フォトマスクである。
【００２６】
（構成７）
本発明の構成７は、前記補助パターンは、前記主パターンを囲んで形成されていることを特徴とする、構成１〜６のいずれかの表示装置製造用フォトマスクである。
【００２７】
（構成８）
本発明の構成８は、前記ピッチＰは、前記露光機の解像限界がＢ（μｍ）であるとき、０．７Ｂ≦Ｐ≦１．３Ｂであることを特徴とする、構成１〜７のいずれかの表示装置製造用フォトマスクである。
【００２８】
（構成９）
本発明の構成９は、透明基板上に成膜した、少なくとも遮光膜をパターニングすることによって形成された、遮光部と、透光部とを含む転写用パターンを有する表示装置製造用フォトマスクにおいて、
前記転写用パターンは、透光部からなる、径が４μｍ以下の主パターンと、
前記主パターンの周辺に配置された、主パターンの径より小さな幅をもつ、透光部又は半透光部からなる補助パターンとを有し、
前記主パターンを透過する露光光と、前記補助パターンを透過する露光光との位相差は０度以上９０度以下であり、
前記主パターンの中心と、前記補助パターンの幅の中心との間の距離をピッチＰ（μｍ）とし、前記主パターンの透過光が、被転写体上に形成する光強度分布を示す光強度分布曲線において、主ピークと、前記主ピークに最も近い、第１サブピークとの間の極小点の、主ピーク中心位置からの距離をＱ（μｍ）とし、前記主ピークから２番目に近い第２サブピークと前記第１サブピークとの間の極小点の、主ピーク中心位置からの距離をＲ（μｍ）とするとき、
Ｑ  ≦  Ｐ  ≦  Ｒ      ・・・  （１）
であることを特徴とする、表示装置製造用フォトマスクである。
【００２９】
（構成１０）
本発明の構成１０は、透明基板上に成膜した、遮光膜をパターニングすることによって形成された、遮光部と、透光部とを含む転写用パターンを有する表示装置製造用フォトマスクにおいて、
前記転写用パターンは、透光部からなる、径が４μｍ以下の主パターンと、
前記主パターンの周辺に配置された、主パターンの径より小さく、かつ、露光により解像しない幅をもつ透光部からなる補助パターンとを有し、
前記主パターンを透過する露光光と、前記補助パターンを透過する露光光には、互いに実質的に位相差がないことを特徴とする、
構成９の表示装置製造用フォトマスクである。
【００３０】
（構成１１）
本発明の構成１１は、前記補助パターンの幅Ａ（μｍ）は、前記露光に用いる露光機の解像限界がＢ（μｍ）、前記主パターンの径がＣ（μｍ）であるとき、Ａ≦Ｂ／２、かつＡ≦Ｃ／２を満たすことを特徴とする、構成１０の表示装置製造用フォトマスクである。
【００３１】
（構成１２）
本発明の構成１２は、透明基板上に成膜した、半透光膜と遮光膜とをパターニングすることによって形成された、遮光部と、透光部と、半透光部とを含む転写用パターンを有する表示装置製造用フォトマスクにおいて、
前記転写用パターンは、透光部からなる、径が４μｍ以下の主パターンと、
前記主パターンの周辺に配置された、主パターンの径より小さな幅をもつ半透光部からなる補助パターンとを有することを特徴とする、
構成９の表示装置製造用フォトマスクである。
【００３２】
（構成１３）
本発明の構成１３は、前記補助パターンの幅Ａ（μｍ）は、前記露光に用いる露光機の解像限界がＢ（μｍ）、前記主パターンの径がＣ（μｍ）であるとき、Ａ≦Ｂ、かつＡ≦Ｃを満たすことを特徴とする、構成１２の表示装置製造用フォトマスクである。
【００３３】
（構成１４）
本発明の構成１４は、前記補助パターンの幅をＡ（μｍ）とするとき、
Ｑ  ≦  Ｐ±（Ａ／２）  ≦  Ｒ      ・・・  （２）
であることを特徴とする、構成９〜１３のいずれかの表示装置製造用フォトマスクである。
【００３４】
（構成１５）
本発明の構成１５は、前記補助パターンは、前記主パターンを囲んで形成されていることを特徴とする、構成９〜１４のいずれかの表示装置製造用フォトマスクである。
【００３５】
（構成１６）
本発明の構成１６は、パターン転写方法であって、
構成１〜１５のいずれかの表示装置製造用フォトマスクを用い、表示装置用露光機によって被転写体上にパターン転写することを特徴とする、パターン転写方法である。
【発明の効果】
【００３６】
本発明のフォトマスクによれば、表示装置を製造するために、フォトマスクのもつ転写用パターンを転写する際、フォーカスマージン（フォーカスずれに対する裕度）を拡大した条件で転写が行える。従って、フォトマスクや被転写体の平坦度や露光光学系のフォーカシング状態の影響を受けにくく、安定して、所望寸法のパターンが転写できる。
【図面の簡単な説明】
【００３７】
。
【図１】本発明による第１のフォトマスクの一態様であり、（ａ）は転写用パターンの平面視、（ｂ）は断面を示す模式図である。
【図２】本発明による第２のフォトマスクの一態様であり、（ａ）は転写用パターンの平面視、（ｂ）は断面を示す模式図である。
【図３】本発明の第１及び第２のフォトマスクに適用できる主パターン及び補助パターンの形状を例示する模式図である。
【図４】本発明の第２のフォトマスクの製造方法の一態様を示す模式図である。
【図５】本発明の第１のフォトマスクについての光学シミュレーション結果を示す図である。（ａ）はフォーカスマージンに関する評価、（ｂ）は露光量マージンに関する評価、（ｃ）は目標線幅（ＣＤ）を達成するために必要な基準露光量Ｅｏｐに関する評価について、それぞれ（ｄ）実施例１、（ｅ）参考例１、（ｆ）比較例１の結果を示す。
【図６】本発明の第２のフォトマスクについての光学シミュレーション結果を示す。（ａ）はフォーカスマージンに関する評価、（ｂ）は露光量マージンに関する評価、（ｃ）は目標線幅（ＣＤ）を達成するための必要な基準露光量Ｅｏｐに関する評価について、それぞれ（ｄ）実施例２、（図５の（ｅ））参考例１、（図５の（ｆ））比較例１の結果を示す図である。
【図７】第１のフォトマスクを用いたときに、被転写体上に形成されるレジストパターン形状（断面形状）についての、光学シミュレーション結果を示す図である。
【図８】第２のフォトマスクを用いたときに、被転写体上に形成されるレジストパターン形状（断面形状）についての、光学シミュレーション結果を示す図である。
【図９】第１又は第２のフォトマスクの主パターンを透過した露光光が、被転写体上に形成する光強度分布を示す、光強度分布曲線を示す模式図である。
【図１０】実験例１のホールパターンによる光強度分布曲線の詳細を示す図である。
【図１１】実験例２のホールパターンによる光強度分布曲線の詳細を示す図である。
【発明を実施するための形態】
【００３８】
本発明のフォトマスクは、表示装置製造用のフォトマスクとして、既存の露光機を使用しつつ、従来不可能であった微細なパターンを転写可能なフォトマスクであり、具体的には、露光時のフォーカスずれに対する裕度（マージン）が大きい。
【００３９】
本発明によるフォトマスクは、透明基板上に成膜した、少なくとも遮光膜をパターニングすることによって形成された、遮光部と、透光部とを含む転写用パターンを有する表示装置製造用フォトマスクにおいて、前記転写用パターンは、透光部からなる、径が４μｍ以下の主パターンと、前記主パターンの周辺に配置された、主パターンの径より小さな幅をもつ、透光部又は半透光部からなる補助パターンとを有し、前記主パターンを透過する露光光と、前記補助パターンを透過する露光光との位相差は０度以上９０度以下であり、前記主パターンの中心と、前記補助パターンの幅の中心との間の距離をピッチＰ（μｍ）とするとき、前記主パターンを透過する露光光と、前記補助パターンを透過する露光光とによる光の干渉によって生じる、±１次の回折光が、前記露光に用いる露光機の光学系に入射するように、前記ピッチＰが設定されている。
【００４０】
本発明による第１のフォトマスクは、補助パターンが透光部からなることができる。すなわち、本発明による第１のフォトマスクは、透明基板上に成膜した遮光膜をパターニングすることによって形成された、遮光部と、透光部とを含む転写用パターンを有する表示装置製造用フォトマスクにおいて、前記転写用パターンは、透光部からなる、径が４μｍ以下の主パターンと、前記主パターンの周辺に配置された、露光により解像しない幅をもつ透光部からなる補助パターンとを有し、前記主パターンを透過した露光光と、前記補助パターンを透過した露光光には、互いに実質的に位相差がなく、前記主パターンの中心と、前記補助パターンの幅の中心との間の距離をピッチＰ（μｍ）とするとき、前記主パターンを透過する露光光と、前記補助パターンを透過する露光光とによって生じる光の干渉によって生じる、±１次の回折光が、前記露光に用いる露光機の光学系に入射するように、前記ピッチＰが設定されていることを特徴とする。
【００４１】
本発明による第１のフォトマスクでは、主パターン及び補助パターンが、いずれも透光部からなる。従って、主パターン及び補助パターンのいずれも、透明基板表面が露出したものとすることができ、両者相互に位相差が実質的に存在しない。
【００４２】
但し、主パターン及び補助パターンのいずれかに、何らかの機能を有する膜を設けた場合にあっても、両者の位相差が実質的にない。実質的に位相差がないとは、位相差が３０度以下であることをいう。本明細書で「位相差」とは、両者の位相の差の絶対値をいう。すなわち、「位相差が３０度以下」とは、両者の位相の差が±３０度の範囲である。
【００４３】
この第１のフォトマスクは、例えば図１に例示するような構成とすることができる。
【００４４】
本発明は、径が４μｍ以下のホールパターンを、被転写体上に形成するためのフォトマスクとして有用なものである。特に、径が、使用される露光機の解像限界以下、具体的には３μｍ以下の主パターンを被転写体上に形成することに有利である。更には、２．５μｍ以下、或いは、２．０μｍ以下の主パターンを形成する場合に、特に発明の効果が顕著である。被転写体上の主パターンの径は１μｍ以上であることが好ましい。
【００４５】
このため、フォトマスクの有する転写用パターンも、上記のような微細径の主パターンを有する。つまり、転写用パターンの主パターンの径は、４μｍ以下であり、好ましくは、３μｍ以下、更には２．５μｍ以下、更に好ましくは２．０μｍ以下である。転写用パターンの主パターンの径は、１μｍ以上であることが好ましい。
【００４６】
本発明により、被転写体上のフォトレジスト膜に対し、フォトマスクの有する転写用パターンがもつ主パターンの径とは異なる径の主パターンを形成しても良い。例えば、フォトマスクの有する転写用パターンの主パターン径よりも、小さな径をもつ主パターンを、被転写体上のフォトレジスト膜に形成することができる。
【００４７】
尚、図１に示すフォトマスクでは、主パターンが正方形である。但し、主パターンの形状はこれに限定されず、円や多角形、例えば正２ｎ角形（ｎは２以上の整数）であることができる（図３参照）。ここで、主パターンの径とは、主パターンが円径のときはその直径、正方形のときはその一辺の長さ、その他の多角形のときは、内接円の直径とする。
【００４８】
転写用パターンの補助パターンは、主パターンの周辺に配置される。好ましくは、主パターンの周囲を囲んで形成される。補助パターンの好ましい形状については後述する。
【００４９】
一方、転写用パターンの補助パターンの幅は、主パターンの径よりも小さく、かつ、露光機によって解像されない幅である。従って、補助パターンの幅は、３μｍ以下であることが好ましい。また、補助パターンの幅は、０．５μｍ以上であることが好ましい。補助パターンの幅の決定は、例えば以下のように行える。
【００５０】
まず、転写用パターンの補助パターンの幅Ａ（μｍ）は、前記露光に用いる露光機の解像限界がＢ（μｍ）、前記主パターンの径がＣ（μｍ）であるとき、Ａ≦Ｂ／２、かつＡ≦Ｃ／２を満たすことが好ましい。
【００５１】
具体的には、転写用パターンの主パターンの径Ｃ（μｍ）が露光機の解像限界Ｂ（μｍ）以上の寸法である場合には、転写用パターンの補助パターンの幅Ａ（μｍ）は、露光機の解像限界Ｂ（μｍ）の１／２以下であることが好ましい。補助パターンの幅Ａ（μｍ）は、より好ましくは露光機の解像限界Ｂ（μｍ）の１／３以下であり、更に好ましくはＢ／５≦Ａ≦Ｂ／３である。
【００５２】
他方、転写用パターンの主パターンの径Ｃ（μｍ）が露光機の解像限界Ｂ（μｍ）未満の寸法である場合には、補助パターンの幅Ａ（μｍ）は、主パターン径Ｃ（μｍ）の１／２以下であることが好ましい。補助パターンの幅Ａ（μｍ）は、より好ましくは主パターン径Ｃ（μｍ）の１／３以下であり、更に好ましくはＣ／５≦Ａ≦Ｃ／３である。
【００５３】
補助パターンの幅が大きすぎると、補助パターンが解像し、被転写体上に転写されてしまうリスクがあり、後述するレジストロスの原因となりやすい。また、補助パターンの幅が小さすぎると、後述する効果が不十分になると共に、寸法精度が得にくい。
【００５４】
補助パターンの幅Ａ（μｍ）は、０．５μｍ以上であることが好ましい。これは、０．５μｍ以下の線幅（ＣＤ）をもつパターンは、フォトマスク製造時の描画やフォトレジストの現像（以下、フォトレジストを、単にレジストともいう）、及びエッチングプロセスにおいて、均一に形成することが容易でないからである。
【００５５】
具体的なパラメータの例としては、径が２〜４μｍの孤立したホールを、被転写体上に形成しようとする場合、転写用パターンの主パターンの径Ｃ（μｍ）を２〜４μｍとし、補助パターン幅は０．５〜１．５μｍ、ピッチＰを３〜５μｍの範囲とすることができる。このとき使用する露光機は、ＬＣＤ用の露光機である。従って、補助パターンの幅は、露光機の解像限界以下の寸法となる。
【００５６】
本発明のフォトマスクを用いて、転写用パターンを転写する際に用いる露光機としては以下のものが挙げられる。すなわち、表示装置製造用（ＬＣＤ用或いはＦＰＤ用など）として使用される等倍露光用の露光機であり、その構成は、光学系の開口数（ＮＡ）が０．０８〜０．１０、コヒーレンスファクター（σ）が０．７〜０．９、ｉ線、ｈ線、ｇ線を露光光に含む光源（ブロード波長光源ともいう）をもつものである。特に光学系の開口数ＮＡが０．０８〜０．０９、又は０．０８〜０．０９５であるときに、発明の効果が顕著である。
【００５７】
また、本発明のフォトマスクは、補助パターンによって生じる回折光を効果的に利用するため、コヒーレンスファクターが比較的大きい（例えば、０．８５〜０．９）場合に、特に効果が顕著である。
【００５８】
但し、本発明のフォトマスクの露光には、ｉ線、ｈ線、ｇ線のいずれかの単一波長を用いてもよい。尚、本発明はブロード波長光源を用いても、微細径のホールパターンが確実に転写可能である点において意義が大きい。これにより、被転写体の面積が大きく（例えば、一辺が３００ｍｍ以上の方形など）なっても、生産効率を下げずに露光が行える。
【００５９】
適用する露光機の光源形状に特に制約はない。例えば、光源から出射される照明光のうち、フォトマスクに対する垂直成分をカットする目的の変形照明（輪帯照明を含む斜入射照明）を適用することにより、良好な転写性が得られる。但し、本発明は、特定の出射光成分を制限しない一般的な形状（非変形）の照明（水銀ランプなど）でも、本発明の効果が得られ、この点で本発明の意義が大きい。
【００６０】
露光機の解像限界とは、露光機が有する光学系の仕様、及び用いる所定の光源を含む露光条件のもとで、該露光機が解像できる最小の幅をいう。露光機の解像限界は、個々の露光機の製品の仕様とひとつとして、公表されている場合が多い。例えば、一般に、表示装置製造用（ＬＣＤ用或いはＦＰＤ用など）としての露光機において、ｉ線、ｈ線、ｇ線を含む露光光源を用いたときの解像限界は、３μｍ程度である。
【００６１】
図１に示す第１のフォトマスクは、透明基板上に形成した遮光膜を、フォトリソグラフィ工程によってパターニングし、形成したものである。中央に、主パターンとして正方形のホールパターンが配置されている。主パターンの部分は、透明基板が露出した透光部として形成されている。また、この主パターンの周辺に、細幅の補助パターンが設けられ、この補助パターンが主パターンを取り囲んで配置されている。補助パターンも、透明基板が露出した透光部として形成されている。従って、主パターン及び補助パターンを透過する露光光は、互いに位相差がない。
【００６２】
主パターンの中心と、補助パターンの幅の中心との距離を、ピッチＰ（μｍ）とする。このピッチＰは、以下のように設計される。すなわち、このフォトマスクを上記露光機にセットし、露光したとき、主パターンを透過する露光光と、前記補助パターンを透過する露光光とによって生じる光の干渉によって生じる、±１次の回折光が、前記露光に用いる露光機の光学系に入射するように、前記ピッチＰが設定されている。
【００６３】
±１次の回折光が入射するとは、＋１次と−１の両方が入射することを意味する。±１次より次数の大きい回折光（例えば±２次回折光）が、露光機の光学系に入射するようなピッチＰの設定でも構わない。但し±１次の回折光は、後述するフォーカスマージンを拡大する効果が最も高いため、実質的に±２次又はそれより次数の大きな回折光が入射しない条件でピッチＰを設計することが好ましい。すなわち±１次回折光が、露光機の光学系に入射し、かつ、この±１次光の回折角が十分に大きく、その干渉効果が大きく活かせるようなピッチＰの設計が好ましい。±２次回折光が入射する場合、主パターンと補助パターンとが離れすぎて、干渉の力が弱まる傾向がある。
【００６４】
尚、ゼロ次光が露光機の光学系に入射してもよい。但し、フォーカスマージンの拡大（焦点面の変動に対して、像の劣化が小さい）という効果に寄与するのは±１次光以上であるから、この回折光に対して、光学系に入射するゼロ次光が有る場合にはその強度は、±１次回折光に対して、相対的に小さいことが好ましい。
【００６５】
更に、ピッチＰの決定は、以下に従って行うことが好ましい。すなわち、主パターンの透過光が、被転写体上に形成する光強度分布を示す光強度分布曲線において、主ピークと、前記主ピークに最も近い、第１サブピークとの間の極小点の、主ピーク中心位置からの距離をＱ（μｍ）とし、前記主ピークから２番目に近い第２サブピークと前記第１サブピークとの間の極小点の、主ピーク中心位置からの距離をＲ（μｍ）とするとき、Ｑ≦Ｐ≦Ｒとすることが好ましい。
【００６６】
図９は、主パターンを透過する露光光が被転写体上に形成する光強度分布の断面を示す、光強度分布曲線である。図９の横軸は被転写体上の位置であり、縦軸は、光強度Ｉである。ここで、中央の最も高いピークを主ピーク、その両側に対称に生じているサブピークを、主ピークに近い側から、第１サブピーク、第２サブピーク、（以下同様）とする。
【００６７】
主ピークと第１サブピークとの間の極小点の、主ピーク中心位置からの距離をＱ（μｍ）とし、第２サブピークと第１サブピークとの間の極小点の、主ピーク中心位置からの距離をＲ（μｍ）とする。このとき、ピッチＰ（μｍ）は、
Ｑ  ≦  Ｐ  ≦  Ｒ      ・・・  （１）
を満たすことが好ましい。
【００６８】
すなわち、（１）式を満たす場合、補助パターンの中心位置が、第１サブピークを形成する山型のカーブと重なるいずれかの位置にある。また、より好ましくは、補助パターンの幅全体が、第１サブピークを形成する山型のカーブの少なくとも一部と重なる位置にあることができる。すなわち、
Ｑ  ≦  Ｐ±（Ａ／２）  ≦  Ｒ      ・・・  （２）
である。Ａ（μｍ）は、補助パターンの幅である。
【００６９】
更に、ピッチＰは、前記露光機の解像限界がＢ（μｍ）であるとき、０．７Ｂ≦Ｐ≦１．３Ｂであることが好ましい。より好ましくは、ピッチＰは、０．８Ｂ≦Ｐ≦１．２Ｂである。また、加工性の点から、主パターンとホールパターンとの間には、０．５μｍ以上の遮光部があることが好ましい。
【００７０】
図１に示す第１のフォトマスクは、石英などの透明基板上に、遮光膜を成膜し、パターニングし、遮光部と透光部とを含む転写用パターンを形成したものである。製造方法は、公知のバイナリマスクの製造方法を適用できる。
【００７１】
ここで遮光膜は、露光光を実質的に遮光する（光学濃度ＯＤが３以上）の膜である場合の他、露光光の透過率が２０％以下の膜であってもよい。遮光膜として、好ましくはＯＤ３程度以上の遮光性があるものを使用する。尚、遮光膜が露光光を一部透過する場合には、該遮光膜のもつ、露光光の位相シフト量は、９０度以下とし、より好ましくは６０度以下とする。
【００７２】
遮光膜の素材は、Ｃｒ又はＣｒ化合物（Ｃｒの酸化物、窒化物、炭化物、酸化窒化物又は酸化窒化炭化物など）の他、Ｔａ、Ｍｏ、Ｗ又はそれらの化合物（上記金属シリサイドを含む）などを使用することができる。
【００７３】
ここで、露光光とは、本発明のフォトマスクを使用してパターン転写を行う際に用いる露光機の露光光である。具体的には、ｉ線、ｈ線、ｇ線を含む波長域を含むものであることが好ましい。これにより、被転写体の面積が大きく（例えば、一辺が３００ｍｍ以上の方形など）なっても、生産効率を下げずに露光が行える。尚、既述のように、露光光としてｉ線、ｈ線、ｇ線のいずれかを単独で使用しても良い。
【００７４】
遮光膜の露光光透過率とは、透明基板の透過率を１００％とした場合の、遮光膜が形成された透明基板の透過率であって、露光に用いる光の代表波長に対するものであることができる。上記露光光の代表波長は、ｉ線、ｈ線、ｇ線のいずれでも良いが、例えばｇ線とすることができる。
【００７５】
遮光膜の位相シフト量とは、透明基板を透過する光と、上記遮光膜が形成された透明基板を透過する光との相互の位相差である。位相シフト量が「９０度以下」とは、ラジアン表記すれば、上記位相差が「（２ｎ−１／２）π〜（２ｎ＋１／２）π  （ここでｎは整数）」であることを意味する。上記と同様に、露光光に含まれる代表波長に対する位相シフト量として計算することができる。
【００７６】
本発明の第１のフォトマスクは、遮光膜が成膜された透明基板からなるフォトマスクブランクを用いて製造することができる。すなわち、該第１のフォトマスクは、パターニングされた所定の遮光膜をもつ透明基板からなるフォトマスクとすることができる。従って、このフォトマスクのもつ転写用パターンにおいて、主パターン、及び、補助パターン以外の領域は、遮光部からなる。いわゆる位相反転効果のある、位相シフト膜（露光光に対する位相シフト量が実質的に１８０度であるもの）を不要としつつ、転写時のフォーカスマージンの増加を達成することができるものである。
【００７７】
本発明のフォトマスクは、表示装置製造用として有用である。具体的には、ＬＣＤ（液晶表示）装置、有機ＥＬ表示装置、ＰＤＰ（プラズマディスプレイパネル）などを製造するためのフォトマスクである。
【００７８】
こうした用途の転写用パターンには、孤立したホールパターンが必要な場面が多い。本発明のフォトマスクにおける主パターンは、孤立したホールパターンであるときに本発明の効果が顕著である。孤立したパターンとは、同形状のパターンが規則的に配列し、互いの透過光が干渉しあう状態にある転写用パターン（密集パターンともいう）とは異なり、そのような同形状のパターンの配列を形成しないものをいう。
【００７９】
図１に示す補助パターンの形状は、８角形帯であるが、本発明はこれに限定されない。補助パターンの形状は、主パターンであるホールパターンの周辺にあって、ホールパターンの周囲を囲むものであることが好ましい。具体的には、ホールパターンの中心に対して、３回対称以上の回転対象の形状に一定の幅を与えたものであることが好ましい。好ましい主パターン及び補助パターンの形状を、図３に例示する。主パターンのデザインと補助パターンのデザインとの組み合わせは、図３（ａ）〜（ｆ）の異なるものを互いに組み合わせても良い。
【００８０】
例えば、補助パターンの外周が、正方形、正６角形、正８角形、正１０角形等、正２ｎ角形（ｎは２以上の整数）又は円形である場合は好ましい態様である。そして、補助パターンの外周と内周とが、ほぼ平行である形状、すなわち、ほぼ一定幅をもつ多角形又は円形の帯のような形状が好ましい。この形状を、多角形帯又は円形帯ともよぶ。
【００８１】
又は、ホールパターンの周辺にあって、その周囲の大部分を囲むものであっても良い。例えば、補助パターンの形状は、上記多角形帯又は円形帯の一部が欠落した形状であっても良い。例えば、図３（ｆ）のように、四角形帯の角部が欠落した形状であっても良い。
【００８２】
尚、発明者の検討によると、図３に例示される形状において、パターン形成精度（ＣＤ等）が有利な点で、（ｂ）、（ｆ）が好ましく、このうち、フォーカスマージン向上効果としては（ｂ）が有利であった。
【００８３】
次に、本発明による第２のフォトマスクについて説明する。本発明による第２のフォトマスクは、以下のような特徴を有する。
【００８４】
すなわち、本発明による第２のフォトマスクは、透明基板上に成膜した半透光膜と遮光膜とをパターニングすることによって形成された、遮光部と、透光部と、半透光部とを含む転写用パターンを有する表示装置製造用フォトマスクにおいて、前記転写用パターンは、透光部からなる、径が４μｍ以下の主パターンと、前記主パターンの周辺に配置された、主パターンの径より小さな幅をもつ半透光部からなる補助パターンとを有し、前記主パターンを透過する露光光と、前記補助パターンを透過する露光光との位相差は９０度以下であり、前記主パターンの中心と、前記補助パターンの幅の中心との間の距離をピッチＰ（μｍ）とするとき、前記主パターンを透過する露光光と、前記補助パターンを透過する露光光とによって生じる光の干渉によって生じる、±１次の回折光が、前記露光に用いる露光機の光学系に入射するように、前記ピッチＰが設定されていることを特徴とする、表示装置製造用フォトマスクである。
【００８５】
この第２のフォトマスクは、例えば図２に示すような構成とすることができる。
【００８６】
第２のフォトマスクは、第１のフォトマスクに対して、以下の点で相違する。すなわち、第１のフォトマスクにおいては補助パターンが、透明基板が露出した透光部として形成されていたのに対して、第２のフォトマスクでは、露光光を一部透過する半透光部として形成されている点である。この半透光部は、透明基板上に半透光膜が形成されてなる。
【００８７】
ここで、半透光部からなる補助パターンの露光光透過率は、透光部からなるものに比べて、それを取り囲む遮光部の露光光透過率と近いため、被転写体上に解像されにくい。従って、第２のフォトマスクの場合、第１のフォトマスクよりも、補助パターンの幅の設計自由度が広い。つまり、第１のフォトマスクにおけるより、補助パターンの幅が大きくすることができる点に相違がある。これは、微細な補助パターンを、ＣＤ精度高く形成する際のパターニング難度を考慮すると、大きな意義がある。すなわち、第２のフォトマスクにおける補助パターンの幅は、必ずしもいわゆる露光機の解像限界として公表されている数値以下である必要はない。
【００８８】
第２のフォトマスクの補助パターンの幅は、以下のように決定することができる。
【００８９】
まず、補助パターンの幅Ａ（μｍ）は、前記露光に用いる露光機の解像限界がＢ（μｍ）、前記主パターンの径がＣ（μｍ）であるとき、Ａ≦Ｂ、かつＡ≦Ｃを満たすことが好ましい。
【００９０】
具体的には、第２のフォトマスクにおいて、主パターンの径Ｃ（μｍ）が露光機の解像限界Ｂ（μｍ）以上の寸法である場合には、補助パターンの幅Ａ（μｍ）は、露光機の解像限界Ｂ（μｍ）以下であることが好ましい。補助パターンの幅Ａ（μｍ）は、より好ましくは露光機の解像限界Ｂ（μｍ）の１／２以下であり、更に好ましくはＢ／５≦Ａ≦Ｂ／２である。
【００９１】
他方、第２のフォトマスクにおいて、主パターンの径が露光機の解像限界Ｂ（μｍ）未満の寸法である場合には、補助パターンの幅Ａ（μｍ）は、該主パターン径Ｃ（μｍ）以下であることが好ましい。補助パターンの幅Ａ（μｍ）は、より好ましくは主パターン径Ｃ（μｍ）の１／２以下であり、更に好ましくはＣ／５≦Ａ≦Ｃ／２である。この補助パターン幅Ａ（μｍ）は０．５μｍ以上であることが好ましい。
【００９２】
第２のフォトマスクは、透光部、遮光部の他に半透光部が存在することから、その製法が第１のフォトマスクより少し複雑になる。この様子を図４に示す。
【００９３】
すなわち、透明基板上に半透光膜、及び遮光膜が形成され、更にレジスト膜が形成されたフォトマスクブランクを用意し（図４（ａ））、このレジスト膜（第１レジスト）に第１の描画を施す。これを現像し、形成された第１レジストパターンをマスクとして、遮光膜をエッチングすることにより、遮光部が画定される（図４（ｂ））。
【００９４】
第１レジスト膜を剥離（図４（ｃ））した後、再度レジスト膜（第２レジスト膜）を表面に塗布形成し（図４（ｄ））、第２描画を行う。これは、半透光膜をエッチングし、透光部を形成するための描画データを用いて行う。このとき、上記描画データは、主パターンの周囲において、第２レジストパターンのエッジを若干後退させ、遮光膜のエッジが露出するように加工しておく。そして、現像後、形成された第２レジストパターンと遮光部のエッジをマスクとして、半透光膜をエッチング（図４（ｅ））し、透光部を形成する。これにより、形成される透光部は、先に画定された遮光部の位置に対して、正しい位置にセルフアライメントされる。以下、図４の方法のように、透明基板上に直接半透光膜を形成する方法を、先付法ともいう。
【００９５】
第２レジストパターンを剥離すると、本発明の第２のフォトマスクが完成する（図４（ｆ））。
【００９６】
このように、本発明の第２のフォトマスクは、好ましくは、転写用パターンにおいて、主パターン及び補助パターンを除いた領域は遮光部からなる。
【００９７】
尚、上記製法以外の製法として、透明基板上に遮光膜を形成してこれをパターニングし、次いで全面に半透光膜を形成してパターニングする方法も適用可能である（これを後付法ともいう）。但し、２回の描画のアライメントずれを防止する観点から、先付法を適用することが好ましい。
【００９８】
第２のフォトマスクに用いる遮光膜の素材は、第１のフォトマスクと同様に、Ｃｒ又はＣｒ化合物（Ｃｒの酸化物、窒化物、炭化物、酸化窒化物、酸化窒化炭化物など）の他、Ｔａ、Ｍｏ、Ｗ又はそれらの化合物（上記金属シリサイドを含む）などを使用することができる。
【００９９】
また、第２のフォトマスクに用いる半透光膜の素材は、Ｃｒ化合物（Ｃｒの酸化物、窒化物、炭化物、酸化窒化物又は酸化窒化炭化物など）、Ｓｉ化合物（ＳｉＯ２、ＳＯＧ）、金属シリサイド化合物（ＴａＳｉ、ＭｏＳｉ、ＷＳｉ又はそれらの窒化物、酸化窒化物など）の他、ＴｉＯＮなどのＴｉ化合物を使用することができる。
【０１００】
但し、先付法を適用することを考慮すれば、半透光膜と遮光膜とは、相互にエッチング選択性のある素材を選択することが好ましい。つまり、半透光膜のエッチャントに対して遮光膜が耐性を有し、遮光膜のエッチャントに対して半透光膜が耐性を有することが望まれる。
【０１０１】
この観点からは、遮光膜の素材に、Ｃｒ又はＣｒ化合物（Ｃｒの酸化物、窒化物、炭化物、酸化窒化物、酸化窒化炭化物など）を選択した場合には、半透光膜の素材としては、Ｓｉ化合物（ＳｉＯ２、ＳＯＧ）、金属シリサイド化合物（ＴａＳｉ、ＭｏＳｉ、ＷＳｉ又はそれらの窒化物、酸化窒化物など）を使用することが好適である。またこの逆でも良い。
【０１０２】
第２のフォトマスクに使用する半透光膜は、露光光に対する透過率が２０〜８０％であることが好ましい。この透過率は、透明基板の透過光に対して、半透光膜を形成した透明基板の透過率であり、第１のフォトマスクにおいて説明したと同様、露光光の代表波長に対するものとすることができる。第２のフォトマスクに使用する半透光膜は、より好ましくは露光光に対する透過率が３０〜６０％である。
【０１０３】
尚、補助パターンは、微細線幅なので、パターンを形成した状態でこの部分の透過率を測定することが難しい（光の回折の影響を受けるため、線幅によって、周囲パターンからの影響を受け、実際に透過する光量が大きく変動する）。従って、補助パターンの透過率としては、この補助パターンの幅を十分大きくした場合を仮定し、周囲パターンの影響を受けない状態を想定した場合の透過率をいうものとし、透明基板の透過率を１００％とした場合の相対値である。半透光膜の透過率という場合も同義である。
【０１０４】
また、第２のフォトマスクに使用する半透光膜の、露光光に対する位相シフト量は、９０度以下であり、好ましくは６０度以下である。位相シフト量についての定義は、第１のフォトマスクにおいて行った説明と同様である。
【０１０５】
本発明の第２のフォトマスクは、パターンの境界において、反転する位相（位相差１８０度）の光による干渉（相殺）作用を用いた、いわゆる位相シフトマスクとは異なり、反転位相の光を実質的に用いることを必要としない。尚、本発明において、補助パターン部分の半透光膜に位相シフト量１８０度のものを用いると、±１次回折光の回折角が狭くなる。従って、±１次回折光の回折角を十分に大きくし、その上で、露光機の光学系に入射させ、被転写面の所定位置に照射することによって得られる本発明の効果が、位相シフト量１８０度の位相シフトマスクにおいては十分に得られない傾向がある。
【０１０６】
尚、反転位相の光による干渉作用を用いることを必要としない点については、本発明の第１のフォトマスクも同様である。
【０１０７】
第２のフォトマスクのその他の特徴については、第１のフォトマスクと共通するため、重複説明を省略する。例えば、露光に使用する好ましい露光機の光学特性（ＮＡ、σを含む）、露光光の波長、補助パターンのピッチの決定に関する好ましい条件（（１）式、（２）式を含む）、主パターン、補助パターンの好ましい形状等については、第１及び第２のフォトマスクのいずれにも適合する。
【０１０８】
尚、本発明は、第１のフォトマスク、又は第２のフォトマスクを用い、表示装置製造用露光機によって、被転写体上に転写用パターンを転写する方法をも含む。
【０１０９】
本発明の第１及び第２のフォトマスクは、上述のように、主パターンと補助パターンとの協働により形成される±１次回折光を、露光機の光学系に入射させ、被転写面の所定位置に照射する特徴をもつ。±１次光は、被転写面の所定位置において（たとえ被転写体のＸＹ面上に凹凸があり、被転写面がＺ方向に位置変位していたとしても）、常に位相が等しく、干渉面が良好なフォーカス裕度をもつ。このため、この２光束を有効に利用してレジストを感光させる。
【０１１０】
また、本発明の第１及び第２のフォトマスクには、フォーカスマージンを拡大する効果の他、露光機に生じやすい、露光量の変動に対するマージンを拡大し、また、必要な照射光量を低減させる効果もあることが、発明者の検討により明らかになった。
【０１１１】
補助パターンの透過率が高い第１のフォトマスクでは、フォーカスマージンが高くなる利点が特に顕著であり、補助パターンの透過率が相対的に低い第２のフォトマスクでは、被転写体上に形成されるレジストのロスが生じにくいメリットの他、精緻な加工が容易である点において意義が大きい。
【０１１２】
また、本発明の第１及び第２のフォトマスクにおいて、位相反転効果のある位相シフト膜を不要としつつ、上記フォーカスマージン増加の効果を得ることができる。
【０１１３】
一方、本発明の効果を損なわない範囲で、上述の、本発明の第１及び第２のフォトマスクの構成に対し、付加的な光学膜や機能性膜が存在しても良い。また、遮光膜の表面に、反射防止機能を有する反射防止層を備えるなど、所望の層構成をもつ膜を用いても良い。
【実施例】
【０１１４】
（実施例１及び比較例１）
実施例１として、図１に示す転写用パターンをもつフォトマスク（本発明の第１のフォトマスク）を用い、露光を行った際の転写性につき、光学シミュレーションを行い、評価した。
【０１１５】
シミュレーションにおいて適用した条件は、以下のとおりである。
露光機の光学系：  開口数（ＮＡ）：０．０８５
コヒーレンスファクター（σ）：０．９
露光光の波長（各波長の相対強度）  ｇ：ｈ：ｉ＝１：０．８：０．９５
主パターン（透光部）：  正方形のホールパターン。一辺の長さ（径Ｃ）＝２μｍ
補助パターン（透光部）：主パターンを取り囲む、８角形帯。幅（Ａ）＝１μｍ
遮光部は、ＯＤ３以上の遮光性をもつ遮光膜によって形成。
ピッチＰは、３．０〜５．０μｍ（図５（ｄ））。
【０１１６】
比較例１のフォトマスク（図５（ｆ））における転写用パターンは、補助パターンがないことを除いて、実施例１のフォトマスクと同じである。また参考例１のフォトマスク（図５（ｅ））における転写用パターンは、比較例１のフォトマスクの主パターンの径を２．５μｍにしたものである。
【０１１７】
＜１−１  フォーカスマージン＞
焦点深度（ＤＯＦ）等、リソグラフィのパフォーマンスを評価する手法として、プロセスウィンドウを用いることが知られている。ここでは、横軸を焦点位置（μｍ）、縦軸を露光量（ｍＪ／ｃｍ２など）とし、露光及びプロセスを行った結果、許容する線幅変動（目標線幅の±１０％以内）となる領域をプロセス許容範囲とする。また、プロセス許容範囲内にて、基準焦点位置（０μｍ）において目標線幅どおりに転写されるための露光量をＥｏｐ（基準露光量）とする。プロセス許容範囲内にて基準焦点位置かつ基準露光量を中心として、面積が最大となる長方形で焦点誤差許容量（フォーカスマージン）、及び露光量誤差許容量（露光量マージン）を表すことができる。このとき、長方形の幅はフォーカスマージン、高さは許容される露光量マージンとなる。
【０１１８】
そこで、あるピッチＰに対する、フォーカスマージンの値を、ピッチＰの値ごとにプロットしたものが図５（ａ）である。尚、後述する図６（ａ）も同様の図である。
【０１１９】
図５（ａ）に示されるとおり、本発明の第１のフォトマスクによると、ピッチＰが３〜５μｍのいずれの場合にも、比較例１に示す補助パターンのないフォトマスクよりも、フォーカスマージンが大きいことがわかる。特にピッチＰが３〜４μｍのときに、フォーカスマージンが２０μｍを超え、非常に有利であることがわかる。また、ピッチＰが３〜４μｍの領域では、主パターンの径が大きい参考例１と比較しても、フォーカスマージンが有利であることがわかる。
【０１２０】
＜１−２  露光量マージン＞
上記同様、プロセスウィンドウを用い、あるピッチＰに対する、露光量マージンの（ＥＬマージン）値を、ピッチＰの値ごとにプロットしたものが図５（ｂ）である。尚、後述する図６（ｂ）も同様の図である。
【０１２１】
図５（ｂ）に示すとおり、実施例１の結果は、ピッチが４〜５μｍの領域において、比較例１よりも有利であることがわかる。従って、この領域では、フォーカス変動に対する裕度が大きいのみでなく、露光機による照射光量の変動に対しても、殆ど影響を受けずに、所望のパターンが転写できることがわかる。
【０１２２】
＜１−３  基準露光量（Ｅｏｐ）＞
プロセスウィンドウにおいて、基準焦点位置（０μｍ）で目標線幅にパターンが転写されるための露光量をＥｏｐとし、あるピッチＰに対する、Ｅｏｐの値をピッチＰの値ごとにプロットしたものが図５（ｃ）である。後述の図６（ｃ）もグラフの構成は同じである。
【０１２３】
図５（ｃ）に示すとおり、実施例１のフォトマスクは、比較例１のフォトマスクに比較して、約１０〜２０％少ない照射光量で転写できることがわかる。この点も、本発明の優れた作用効果である。尚、ＬＣＤ用露光機においては、フォトマスクの有する面積に一定の照射光量を与える露光を行う際に、全面一括照射ではなく、走査露光を採用することから、必要な照射光量の減少は、生産タクトの減少を意味し、生産性の上では大きな意義がある。
【０１２４】
＜１−４  レジストパターン断面形状＞
図７には、本発明の第１のフォトマスクを用いて、被転写体上のレジスト膜（ポジ型フォトレジスト）を露光したときに、得られるレジストパターンの断面形状を示す。これは、プロセスウィンドウにおける、基準焦点位置かつ基準露光量（Ｅｏｐ）でのレジストパターン断面形状をピッチＰごとに示したものである。尚、後述の図８も同じ指標でレジストパターン断面形状を示す。
【０１２５】
図７から明らかなとおり、主パターンに対応する位置に、所定どおりの（径２．０μｍ）のホールパターンが形成されている。尚、ホールパターンの外側に、補助パターンに起因する凹部（レジストロス）が生じており、ピッチＰが微小になるに従ってこの凹部の位置も主パターンに近づく。但し、被転写体の加工（すなわち、このレジストパターンの下層側にある薄膜のエッチング加工）を行う際には、一般に利用されるウェットエッチングによって、必要なパターン形成が可能である。
【０１２６】
（実施例２）
図２に示す転写用パターンをもつフォトマスク（本発明の第２のフォトマスク）を用い、露光を行った際の転写性につき、光学シミュレーションを行い、評価した。
【０１２７】
シミュレーションにおいて適用した条件は、以下のとおりである。
露光機の光学系：  開口数（ＮＡ）：０．０８５
コヒーレンスファクター（σ）：０．９
露光光の波長（各波長の相対強度）  ｇ：ｈ：ｉ＝１：０．８：０．９５
主パターン（透光部）：  正方形のホールパターン。一辺の長さ（径Ｃ）＝２μｍ
補助パターン（半透光部）：主パターンを取り囲む、８角形帯。幅（Ａ）＝１μｍ
遮光部は、ＯＤ３以上の遮光性をもつ遮光膜によって形成。
半透光部に用いた半透光膜の露光光透過率は５０％。
ピッチＰは、３．０〜５．０μｍ（図６（ｄ））。
【０１２８】
＜２−１  フォーカスマージン＞
図６（ａ）に示されるとおり、本発明の第２のフォトマスク（図６（ｄ））によると、ピッチＰが３〜５μｍのいずれの場合にも、比較例１に示す補助パターンのないフォトマスク（図５（ｅ））よりも、フォーカスマージンが大きいことがわかる。特にピッチＰが３．５〜４．５μｍのときに、フォーカスマージンが２０μｍを超え、非常に有利であることがわかる。
【０１２９】
＜２−２  露光量マージン＞
図６（ｂ）に示すとおり、実施例２のフォトマスクの結果は、ピッチが４．０μｍ程度のとき、比較例１のフォトマスクよりも有利であることがわかる。
【０１３０】
＜２−３  照射光量（Ｅｏｐ）＞
被転写体上に目標径（２μｍ）のパターンを形成するために必要な、露光機の照射光量は、図６（ｃ）に示すとおり、実施例２のフォトマスクは、比較例１のフォトマスクに比較して１０％以上少ない照射光量で転写できることがわかる。
【０１３１】
＜２−４  レジストパターン断面形状＞
図８には、本発明の第２のフォトマスクを用いて、被転写体上のレジスト膜（ポジ型フォトレジスト）を露光したときに、得られるレジストパターンの断面形状を示す。これによると、主パターンに対応する位置に、所定どおりの（径２．０μｍ）のホールパターンが形成されている。更に、補助パターンに起因する、主パターン周辺のレジストロスが実質的に生じていない。このため、被転写体の加工においては、極めて安定なエッチングが行える。
【０１３２】
（実験例１）
主パターンが被転写体上に形成する、露光光の光強度分布と、ピッチＰの関係を調べるため、以下のシミュレーションを行った。尚、実験例１の目的は、主パターンの光強度分布に対する影響を明らかにすることなので、補助パターンを使用せずにシミュレーションを行った。
【０１３３】
図９に示す、光強度分布と、そのサブピークの位置を把握するにあたり、シミュレーションにおいて適用した条件は、以下のとおりである。
露光機の光学系：  開口数（ＮＡ）：０．０８５
コヒーレンスファクター（σ）：０．９
露光光の波長（各波長の相対強度）  ｇ：ｈ：ｉ＝１：０．８：０．９５
主パターン形状は、一辺の長さ（径Ｃ）２μｍの正方形（上記比較例１と同じ）とした。尚、ここでは補助パターンは使用しなかった。
【０１３４】
図１０に、実験例１の主パターン（ホールパターン）による、被転写体上の光強度分布曲線の詳細を示す。ここで、主ピークと、主ピークに最も近い、第１サブピークとの間の極小点の、主ピーク中心位置からの距離をＱ（μｍ）とし、主ピークから２番目に近い第２サブピークと第１サブピークとの間の極小点の、主ピーク中心位置からの距離をＲ（μｍ）とするとき、Ｑは、３．１μｍ、Ｒは、５．５μｍであった。また、第１サブピークの極大点の、主ピーク中心位置からの距離は、３．９μｍであった。
【０１３５】
上記は、図５に示すように、主パターンの中心と、補助パターンの幅の中心との間の距離であるピッチＰを所定の距離とすることによって、優れた転写性が得られたという結果と良い一致性を示す。すなわち、ピッチＰの寸法を、
Ｑ  ≦  Ｐ  ≦  Ｒ      ・・・  （１）
とすることで、転写に有利な優れた条件を得ることができることが明確になった。また、発明者の検討によると、補助パターンの幅全体が、第１サブピークの幅に重なるとき、すなわち、
Ｑ  ≦  Ｐ±（Ａ／２）  ≦  Ｒ      ・・・  （２）
のとき、より優れたフォーカスマージンを得ることがわかった。従って、上記式（１）又は（２）を満たすように転写用パターンの設計をすることが好ましいことがわかった。
【０１３６】
（実験例２）
実験例１において、主パターンの形状を、一辺の長さ（径Ｃ）３．５μｍの正方形としたものにつき、実験例１と同様の方法で、光強度分布曲線の詳細を得た（図１１）。この場合、実験例１に比べ、第１サブピークの位置が、主ピーク位置より若干遠い側に移動した。具体的には、Ｑが３．８μｍ、Ｒが６．２μｍ、第１サブピークの極大点は、４．４μｍであった。
【０１３７】
しかし、この場合においても、上記式（１）又は（２）が充足する場合に、フォーカスマージンが高く得られることがわかった。また、露光量マージン、Ｅｏｐにおいても、好ましい結果が得られた。
【０１３８】
また、ピッチＰを、上記範囲とすることによる上述の優れた効果は、図１に示すような第１のフォトマスクのみならず、図２に示すような第２のフォトマスクにおいても得られた。
【図１】
2014102496.tif 000003
【図２】
2014102496.tif 000004
【図３】
2014102496.tif 000005
【図４】
2014102496.tif 000006
【図５】
2014102496.tif 000007
【図６】
2014102496.tif 000008
【図７】
2014102496.tif 000009
【図８】
2014102496.tif 000010
【図９】
2014102496.tif 000011
【図１０】
2014102496.tif 000012
【図１１】
2014102496.tif 000013